(57)【特許請求の範囲】
【請求項１】
通気性シートの一方の面に長尺方向に所定間隔をあけて複数列の線状に加熱溶融押出しされた熱可塑性樹脂層を有する積層体からなり、該積層体の前記熱可塑性樹脂層同士を複数列の線状が対向するように重ね合わせて端縁辺のそれぞれを熱接着した端縁熱接着部を有するとともに、前記通気性シートの前記複数列の線状に加熱溶融押出しされた前記熱可塑性樹脂層が、少なくとも１つの前記端縁熱接着部に該端縁熱接着部の長さ方向と直交する方向に平行であって該端縁熱接着部の長さ方向に所定間隔で設けられており、加熱調理により収納された食品から発生する内圧を前記複数列の線状に設けた熱可塑性樹脂層の間から前記少なくとも１つの端縁熱接着部、あるいは、前記複数列の線状に設けた熱可塑性樹脂層の間から前記通気性シートを経て外部へ逃がし包装袋の破袋を防止することができることを特徴とする電子レンジ用包装袋。
【請求項２】
前記通気性シートの他方の面に基材シートを積層したことを特徴とする請求項１記載の電子レンジ用包装袋。
【請求項３】
前記熱可塑性樹脂層の幅が前記熱可塑性樹脂層間の幅より幅広であることを特徴とする請求項１、２のいずれかに記載の電子レンジ用包装袋。
【請求項４】
基材シートと、熱接着性を有する通気性シートとを長尺方向に所定間隔をあけて複数列の線状に加熱溶融押出しされた熱可塑性樹脂層を介して積層した積層体からなり、該積層体の前記通気性シートを前記熱可塑性樹脂層の前記複数列の線状が対向するように重ね合わせて端縁辺のそれぞれを熱接着した端縁熱接着部を有するとともに、前記通気性シートの一方の面に前記複数列の線状に加熱溶融押出しされた前記熱可塑性樹脂層が、少なくとも１つの前記端縁熱接着部に該端縁熱接着部の長さ方向と直交する方向に平行であって該端縁熱接着部の長さ方向に所定間隔で設けられており、加熱調理により収納された食品から発生する内圧を前記通気性シートを経て前記複数列の線状に設けた熱可塑性樹脂層の間から外部へ逃がし包装袋の破袋を防止することができることを特徴とする電子レンジ用包装袋。
【発明の詳細な説明】
【０００１】
【発明の属する技術分野】
本発明は、冷蔵や冷凍状態で販売される調理済み食品等の内容物を包装袋に収納したままで電子レンジにより加熱調理する電子レンジ用包装袋に関する。
【０００２】
【従来の技術】
従来、店頭や家庭において電子レンジで袋ごと加熱調理する形式の包装袋に直にあるいはトレー等の容器に収納された調理済みあるいは半調理済み等の食品、たとえば、米飯（白飯、赤飯、五目飯）、ハンバーガー、ピザ、たこ焼き、あんまん、肉まん、シューマイ等が市販されている。しかしながら、これらの食品を収納する包装袋は、電子レンジで包装袋ごと加熱すると、食品から発生する蒸気や内部空気の熱膨張により包装袋の内圧があがり、突然に包装袋が破袋し、包装袋に収納された食品が飛散すると共にこれにより電子レンジ内が汚れるといった問題があった。
【０００３】
この問題を解決する手段としては、▲１▼電子レンジで加熱調理する前に、予め包装袋に尖ったもので孔を開けるなり、包装袋の一部を鋏やナイフなどを用いて切り取るなりして、包装袋の内圧を逃がす逃げ口を設けることにより包装袋が破袋するのを防止していた。しかし、これらの内圧を逃がす方法は使用者にとって手間なものであると共に加熱調理が開始されて発生した蒸気は直ちに包装袋外へ放出され、蒸気による蒸らし効果が低減し、食味が落ちるといった問題を抱えていた。
【０００４】
上記した▲１▼の問題を解決するものとして、▲２▼包装袋に弁構造の通気材を取り付けた構成からなる包装袋が開発されたが、この種の包装袋は別工程で弁構造の通気材を取り付けなければならず、また、弁構造の通気材自体も構造が複雑であるためにコストも高いものとならざるを得ず、コスト的に非常に使いづらいものであった。
【０００５】
そこで、上記▲１▼、▲２▼の問題を解決するものとして、内層に易剥離性を有する熱可塑性樹脂層を設けると共に周縁熱接着部の内縁に膨出熱接着部と該膨出熱接着部と対向する前記周縁熱接着部の外縁に未熱接着部ないし切欠を設けた特開平１０−１０１１５４号公報に開示されているような包装袋が開発された。この包装袋は内圧の上昇により前記膨出熱接着部から剥離し、この剥離が前記周縁熱接着部に設けた前記未接着部ないし切欠に達することにより自動的に内圧を逃がすようにしたものであり、前記膨出熱接着部が剥離して前記未接着部ないし切欠にこの剥離が達するまでの間、食品を蒸らすことができると共に、▲２▼の包装袋に比べるとコスト的にも安価であるなどの理由から、この種の包装袋に収納された電子レンジ対応食品が市場に出回っている。
【０００６】
しかし、▲３▼の包装袋は、内層にポリエチレンやポリプロピレン等と比べるとコスト高な易剥離性を有する熱可塑性樹脂層を用いるために、この易剥離性を有する熱可塑性樹脂層を必要としない部分、すなわち、包装袋の大半を占める部分にも使用せざるを得ないために無駄の多い使い方、すなわち、コスト対効果という点では割高なものとなっていた。
【０００７】
【発明が解決しようとする課題】
そこで本発明は、上記問題に鑑みてなされたものであって、調理済みあるいは半調理済み等の食品を包装袋に収納したままで内圧を逃がす逃げ口を設けることなく電子レンジで蒸らし効果を奏しつつ加熱調理することができる電子レンジ用包装袋を提供することにある。
【０００８】
【課題を解決するための手段】
本発明者は、上記課題を達成するために、請求項１記載の発明の電子レンジ用包装袋は、通気性シートの一方の面に長尺方向に所定間隔をあけて複数列の線状に加熱溶融押出しされた熱可塑性樹脂層を有する積層体からなり、該積層体の前記熱可塑性樹脂層同士を複数列の線状が対向するように重ね合わせて端縁辺のそれぞれを熱接着した端縁熱接着部を有するとともに、前記通気性シートの前記複数列の線状に加熱溶融押出しされた前記熱可塑性樹脂層が、少なくとも１つの前記端縁熱接着部に該端縁熱接着部の長さ方向と直交する方向に平行であって該端縁熱接着部の長さ方向に所定間隔で設けられており、加熱調理により収納された食品から発生する内圧を前記複数列の線状に設けた熱可塑性樹脂層の間から前記少なくとも１つの端縁熱接着部、あるいは、前記複数列の線状に設けた熱可塑性樹脂層の間から前記通気性シートを経て外部へ逃がし包装袋の破袋を防止することができることを特徴とするものである。
【０００９】
また、請求項２記載の本発明は、請求項１記載の電子レンジ用包装袋において、前記通気性シートの他方の面に基材シートを積層したことを特徴とするものである。
【００１０】
上記請求項１、２のいずれかに記載の構成とすることにより、包装袋ごと電子レンジで加熱調理すると、食品から発生する蒸気や内部空気の熱膨張により上昇する内圧を複数列の線状に設けた熱可塑性樹脂層の間から外部へ、あるいは、複数列の線状に設けた熱可塑性樹脂層の間から通気性シートを経て外部へ逃がすことができるために、包装袋が破袋することなく、また、食品を蒸らしつつ加熱調理することができる電子レンジ用包装袋とすることができる。また特に請求項２記載の構成は、たとえば、基材シートの裏面（通気性シート側の面）に美麗な印刷層を設けることができるために、紙箱等に収容することなく、そのままの状態で流通・販売するのに好適な電子レンジ用包装袋とすることができる。
【００１１】
また、請求項３記載の本発明は、請求項１、２のいずれかに記載の電子レンジ用包装袋において、前記熱可塑性樹脂層の幅が前記熱可塑性樹脂層間の幅より幅広であることを特徴とするものである。このように構成することにより、熱可塑性樹脂層の位置を合わせることなく製袋することができるので、製袋時の生産性が向上する。
【００１２】
また、請求項４記載の本発明の電子レンジ用包装袋は、基材シートと、熱接着性を有する通気性シートとを長尺方向に所定間隔をあけて複数列の線状に加熱溶融押出しされた熱可塑性樹脂層を介して積層した積層体からなり、該積層体の前記通気性シートを前記熱可塑性樹脂層の前記複数列の線状が対向するように重ね合わせて端縁辺のそれぞれを熱接着した端縁熱接着部を有するとともに、前記通気性シートの一方の面に前記複数列の線状に加熱溶融押出しされた前記熱可塑性樹脂層が、少なくとも１つの前記端縁熱接着部に該端縁熱接着部の長さ方向と直交する方向に平行であって該端縁熱接着部の長さ方向に所定間隔で設けられており、加熱調理により収納された食品から発生する内圧を前記通気性シートを経て前記複数列の線状に設けた熱可塑性樹脂層の間から外部へ逃がし包装袋の破袋を防止することができることを特徴とするものである。このように構成することにより、食品から発生する蒸気や内部空気の熱膨張により上昇する内圧を通気性シートを経て複数列の線状に設けた熱可塑性樹脂層の間から外部に逃がすことができるために、包装袋が破袋することなく、また、食品を蒸らしつつ加熱調理することができると共に、たとえば基材シートの裏面（通気性シート側の面）に美麗な印刷層を設けることができるために、紙箱等に収容することなく、そのままの状態で流通・販売するのに公的な電子レンジ用包装袋とすることができる。
【００１３】
【発明の実施の形態】
上記の本発明について、図面等を用いて以下に詳しく説明する。
図１は本発明にかかる電子レンジ用包装袋の一実施例を示す平面図、図２は図１を構成する積層体の第１実施形態を示す要部層構成図、図３は図１のＸ−Ｘ線断面図、図４は図１を構成する積層体の第２実施形態を示す図２に対応する図、図５は図１を構成する積層体の第３実施形態を示す図２に対応する図、図６（ａ）は図５に示す積層体を用いた場合の図１のＸ−Ｘ線断面図、（ｂ）は図５に示す積層体を用いた場合の図１のＹ−Ｙ線断面図であり、図中の１は電子レンジ用包装袋、２，２’は間、１０，１０’は端縁熱接着部、５０，５０’，５０”は積層体、５１は通気性シート、５２，５２’は熱可塑性樹脂層、５３は接着層、５４，５４’は基材シート、５５は熱接着性を有する通気性シートをそれぞれ示す。
【００１４】
図１は本発明にかかる電子レンジ用包装袋の一実施例を示す平面図、図２は図１を構成する積層体の第１実施形態を示す要部層構成図であって、電子レンジ用包装袋１は通気性シート５１の一方の面に複数列の線状に加熱溶融押出しされた熱可塑性樹脂層５２を有する矩形状の積層体５０を前記熱可塑性樹脂層５２同士が対向するように重ね合わせ、重ね合わせた四端縁辺の対向する端縁辺をそれぞれ端縁熱接着部１０、１０’で熱接着して封止した四方シールタイプの包装袋である。なお、前記熱可塑性樹脂層５２は、たとえば、前記通気性シート５１上にＴダイ押出機を用いて２ｍｍ幅で、かつ、２ｍｍ間隔で熱可塑性樹脂を複数列加熱溶融押出しすることにより形成されたものであって、製造時は図２の左右方向に幅広で、図２の紙面の表面から裏面方向を長尺方向として製造される。また、図示はしないが前記電子レンジ用包装袋１の中には、たとえば、ハンバーガー、シューマイ、肉まん等の食品が収納されていて、該食品を食べる時に袋ごと電子レンジで所定時間加熱調理するタイプのものである。
【００１５】
図３は図１のＸ−Ｘ線断面図であって、電子レンジ用包装袋１の端縁熱接着部１０の横断面図である。図３に示すように前記端縁熱接着部１０は通気性シート５１の一方の面に線状に複数列形成した前記熱可塑性樹脂層５２同士が対向するように重ね合わされて前記熱可塑性樹脂層５２同士が熱接着されている。このように構成することにより、電子レンジで加熱調理することにより食品から発生する蒸気や内部空気の熱膨張により上昇する内圧を複数列の線状に設けた熱可塑性樹脂層５２の間２から外部へ、あるいは、複数列の線状に設けた熱可塑性樹脂層５２の間２から通気性シート５１を経て外部へ逃がすことができるために、包装袋が破袋することなく、また、食品を蒸らしつつ加熱調理することができる。
【００１６】
図４は図１を構成する積層体の第２実施形態を示す図２に対応する図であって、積層体５０’は図２に示した積層体５０の通気性シート５１の他方の面に基材シート５４を接着層５３を介して積層したものであって、これ以外は図２に示した積層体５０と同じである。このように構成することにより、図示はしないが、たとえば、前記基材シート５４の裏面（通気性シート５１側の面）に美麗な印刷層を設けることができるために、紙箱等に収容することなく、そのままの状態で流通・販売するのに好適な電子レンジ用包装袋とすることができる。
【００１７】
次に、図２、図４に示した本発明にかかる電子レンジ用包装袋に用いる積層体を構成する材料について説明する。
まず、前記熱可塑性樹脂層５２を形成する熱可塑性樹脂について説明する。本発明の電子レンジ用包装袋に要求される物性としては電子レンジで袋ごと加熱調理されるために少なくとも耐熱性に優れると共にＴダイ押出機に設けたスリットから加熱溶融押出しすることができる熱可塑性樹脂であれば特に限定はされないが、コスト等を勘案するとポリエチレン系ないしポリプロピレン系樹脂が適当である。特に油性食品の場合にはポリエチレン系樹脂よりも耐油性において優れるポリプロピレン系樹脂が適当である。また、前記熱可塑性樹脂層５２は、通常一定幅で一定間隔に設けられるものであるが、製袋時の生産性を考慮すると前記熱可塑性樹脂層５２の幅を前記熱可塑性樹脂層５２間の幅よりも幅広に構成するのがよい。このように構成することにより製袋機の幅方向（製袋機の機械方向に直交する方向）の多少の見当ずれがあっても問題なく製袋できる。また、前記熱可塑性樹脂層５２の幅およびその間隔は適宜決められるべきものであるが、その幅およびその間隔は概ねそれぞれ１〜１０ｍｍである。
【００１８】
次に、前記通気性シート５１について説明する。前記通気性シート５１としては、通気性を有する材料であれば特に限定はされないが、より好ましくは電子レンジで加熱調理した際に食品から発生する蒸気（水分）を吸水する性質を有するものであり、たとえば、パルプやレーヨン、ポリエチレン、ポリプロピレン、ポリエステルなどの不織布、紙などが適当であり、これらの坪量としては概ね２０〜１００ｇ／ｍ2が適当である。このような材料を用いることにより、電子レンジで加熱調理した際に食品から発生する蒸気が袋内面に付着して露滴となって食品を濡らすことを防止することができ、食味を落とすことがない。なお、前記通気性シート５１は必要に応じて必要な面にコロナ放電処理、オゾン処理等の易接着処理を施すことができるし、また、アンカーコート剤を塗布することもできる。
【００１９】
次に、前記基材シート５４について説明する。前記基材シート５４としては、機械的、物理的、化学的等において優れた性質を有する合成樹脂を用いることができ、たとえば、ポリエステル、ポリアミド、ポリプロピレン、ポリカーボネート、ポリアセタール等の樹脂からなる合成樹脂製フィルムを用いることができ、未延伸あるいは一軸方向ないし二軸方向に延伸したフィルムのいずれのものでも使用することができるが、一般的に前記合成樹脂製フィルムの裏面（通気性シート５１側の面）に美麗な印刷層を設けることが多いために、前記合成樹脂製フィルムには印刷適性が求められ、一軸ないし二軸方向に延伸した延伸フィルムが好適である。また、前記合成樹脂製フィルムはコストを勘案すると１２〜３０μｍ程度が適当である。また、前記基材シート５４は必要に応じて必要な面にコロナ放電処理、オゾン処理等の易接着処理を施すことができるし、また、アンカーコート剤を塗布することもできる。
【００２０】
次に、前記接着層５３について説明する。前記接着層５３としては、前記基材シート５４と前記通気性シート５１とを積層するために設けられるものであって、たとえば、ドライラミネーション法による２液硬化型ウレタン樹脂やサンドラミネーション法によるポリエチレン系樹脂やポリプロピレン系樹脂がこれにあたる。
【００２１】
図５は図１を構成する積層体の第３実施形態を示す図２に対応する図であって、積層体５０”は基材シート５４’と、熱接着性を有する通気性シート５５とを複数列の線状に、たとえば、２ｍｍ幅で２ｍｍ間隔に加熱溶融押出しされた熱可塑性樹脂層５２’を介して積層したものであって、前記通気性シート５５同士で熱接着されて封止される。このように構成することにより、図示はしないが、たとえば、図４に示す第２実施形態の積層体５０’と同様に前記基材シート５４’の裏面（通気性シート５５側の面）に美麗な印刷層を設けることができるために、紙箱等に収容することなく、そのままの状態で流通・販売するのに好適な電子レンジ用包装袋とすることができる。なお、前記熱可塑性樹脂層５２’の幅およびその間隔は適宜決められるべきものであるが、その幅およびその間隔は概ねそれぞれ１〜１０ｍｍである。
【００２２】
図６（ａ）は図５に示す積層体を用いた場合の図１のＸ−Ｘ線断面図、（ｂ）は図５に示す積層体を用いた場合の図１のＹ−Ｙ線断面図であって、図６（ａ）および（ｂ）は前記積層体５０”の前記熱接着性を有する通気性シート５５が対向するように重ね合わされて前記熱接着性を有する通気性シート５５同士が図１に示すように端縁熱接着部１０、１０’で熱接着されて封止された四方シールタイプの包装袋１のそれぞれの断面図である。このように構成した包装袋１は電子レンジで加熱調理することにより、食品（図示せず）から発生する蒸気や内部空気の熱膨張により上昇する内圧を図示はしないが前記熱接着性を有する通気性シート５５を通過して複数列の線状に設けた熱可塑性樹脂層５２’の間２’を経て外部に逃がすことができるために、包装袋が破袋することなく、また、食品を蒸らしつつ加熱調理することができる
【００２３】
次に、図５に示した第３実施形態の積層体５０”を構成する材料について説明する。前記熱可塑性樹脂層５２’および前記基材シート５４’としては、第１および第２実施形態で説明した熱可塑性樹脂層５２および基材シート５４に用いる材料と同じものを同様に用いることができるので説明は省略する。また、熱接着性を有する通気性シート５５としては、素材そのもの自体が熱接着性を有するもの、あるいは、最内層が熱接着性を有するものが好ましい。たとえば、ポリエチレンやポリプロピレン等のポリオレフィン系、ポリエステル系等の通気性や透水性を有する不織布、あるいは、最内層にポリエチレンやポリプロピレン等のオレフィン系やポリエステル系等の熱可塑性樹脂を含有している層を有する２ないし３層構成からなる積層紙等が好ましい。通気性のみを有するものであってもよいが、透水性を併せ持つことにより、電子レンジで加熱調理した際に食品から発生する蒸気が袋内面に付着して露滴となって食品を濡らすことを防止することができ、食味を落とすことがない。なお、前記通気性シート５５の坪量としては概ね２０〜１００ｇ／ｍ2が適当である。
【００２４】
なお、電子レンジ用包装袋１を四方シールタイプとして今までは説明してきたが、本発明の電子レンジ用包装袋はこの包装形態に限るものではなく、たとえば、三方シールタイプ、ピロータイプ、ガセットタイプ等の包装形態にも適用することができる。また、本発明の電子レンジ用包装袋は調理済みあるいは半調理済み等の食品を直に収納してもよいし、また、トレー等の容器に入れたものを収納してもよい。
【００２５】
また、本発明の電子レンジ用包装袋１は不織布や紙等の通気性シートを備えた構成からなるために断熱性効果を有するものであり、たとえば、顧客が冷蔵や冷凍状態で購入した調理済み食品等を自宅に持ち帰るまでの間、調理済み食品等が外部温度（環境温度）の影響を受けることをより少なくすることができる。
【００２６】
【発明の効果】
本発明の電子レンジ用包装袋は、今まで縷々説明してきたように、調理済みあるいは半調理済み等の食品を包装袋に収納したままで電子レンジにより蒸らし効果を奏しつつ加熱調理することができる、また、電子レンジで加熱調理することにより食品から発生する蒸気や内部空気の熱膨張により上昇する内圧の逃げ口を設けることなく外部へ逃がすことができるために包装袋が破袋することがない、また、包装袋のコストにおいても効果という点からみて手ごろである、などの優れた効果を奏する。
【図面の簡単な説明】
【図１】本発明にかかる電子レンジ用包装袋の一実施例を示す平面図である。
【図２】図１を構成する積層体の第１実施形態を示す要部層構成図である。
【図３】図１のＸ−Ｘ線断面図である。
【図４】図１を構成する積層体の第２実施形態を示す図２に対応する図である。
【図５】図１を構成する積層体の第３実施形態を示す図２に対応する図である。
【図６】（ａ）は図５に示す積層体を用いた場合の図１のＸ−Ｘ線断面図、（ｂ）は図５に示す積層体を用いた場合の図１のＹ−Ｙ線断面図である。
【符号の説明】
１                          電子レンジ用包装袋
２，２’                    間
１０，１０’                端縁熱接着部
５０，５０’，５０”        積層体
５１                        通気性シート
５２，５２’                熱可塑性樹脂層
５３                        接着層
５４，５４’                基材シート
５５                        熱接着性を有する通気性シート
【図１】
0004437635.tif 000002
【図２】
0004437635.tif 000003
【図３】
0004437635.tif 000004
【図４】
0004437635.tif 000005
【図５】
0004437635.tif 000006
【図６】
0004437635.tif 000007